(57)【要約】      （修正有）【課題】金属部材を含む底部を有するカメラモジュールを提供する。【解決手段】電磁駆動アセンブリ２、電磁駆動アセンブリ２の上に配置されたレンズアセンブリ３、および金属部材と、金属部材の上に形成された第１の絶縁層と、第１の絶縁層の上に形成され、電磁駆動アセンブリ２に電気的に接続された第１の導電層１２５と、を含む底部１２を含み、電磁駆動アセンブリ２は、レンズアセンブリ３が底部１２に対して移動するように駆動することができるカメラモジュール。【選択図】図１
2017215576.tif 000002
【特許請求の範囲】
【請求項１】
電磁駆動アセンブリ、
前記電磁駆動アセンブリの上に配置されたレンズアセンブリ、および
金属部材と、
前記金属部材の上に形成された第１の絶縁層と、
前記第１の絶縁層の上に形成され、前記電磁駆動アセンブリに電気的に接続された第１の導電層と、を含む底部を含み、
前記電磁駆動アセンブリは、前記レンズアセンブリが前記底部に対して移動するように駆動することができるカメラモジュール。
【請求項２】
前記金属部材の厚さは、前記第１の絶縁層および前記第１の導電層の総厚を超える請求項１に記載のカメラモジュール。
【請求項３】
前記金属部材の厚さは、０．１０ｍｍ〜０．３５ｍｍの厚さである請求項１に記載のカメラモジュール。
【請求項４】
前記底部は、
前記金属部材の上であって、前記第１の絶縁層が形成された面とは反対側の面に形成された第２の絶縁層、および
前記第２の絶縁層の上に形成された第２の導電層を更に含む請求項１に記載のカメラモジュール。
【請求項５】
前記カメラモジュールは、イメージセンサを更に含み、前記第２の導電層は、前記イメージセンサに電気的に接続される請求項１に記載のカメラモジュール。
【請求項６】
前記第１の導電層は、成形回路部品を用いることによって前記第１の絶縁層の上にパターン化される請求項１に記載のカメラモジュール。
【請求項７】
前記第１の導電層は、コーティングによって前記第１の絶縁層の上に形成される請求項１に記載のカメラモジュール。
【請求項８】
前記第１の絶縁層は、レーザにより活性化されることができる熱可塑性プラスチックを含む請求項１に記載のカメラモジュール。
【請求項９】
前記底部は、外部絶縁層および保護層を更に含み、前記外部絶縁層は、前記第１の導電層の上に配置され、前記保護層は、前記外部絶縁層の上に配置される請求項１に記載のカメラモジュール。
【請求項１０】
前記第１の絶縁層および前記外部絶縁層は、非導電性接着剤である請求項９に記載のカメラモジュール。
【請求項１１】
前記カメラモジュールは、前記電磁駆動アセンブリを囲み、金属を含むハウジングを更に含む請求項１に記載のカメラモジュール。
【請求項１２】
前記ハウジングおよび前記底部は、溶接により互いに接合される請求項１１に記載のカメラモジュール。
【請求項１３】
前記金属部材および前記第１の導電層は、同じ熱膨張係数を有する請求項１に記載のカメラモジュール。
【請求項１４】
前記電磁駆動アセンブリは、
通過部を有し、前記レンズアセンブリが前記通過部に配置されたレンズホルダ、および
前記レンズホルダの両側にそれぞれ配置された上部弾性シートおよび下部弾性シートを更に含み、前記電磁駆動アセンブリは、前記上部弾性シートまたは前記下部弾性シートを介して前記第１の導電層に電気的に接続される請求項１に記載のカメラモジュール。
【請求項１５】
前記カメラモジュールは、前記上部弾性シートおよび前記底部に接合された複数のサスペンションワイヤを更に含む請求項１４に記載のカメラモジュール。
【請求項１６】
前記金属部材は、長方形構造を有し、前記サスペンションワイヤは、前記金属部材の４つの角を通って延伸され、複数の接合部材は、前記金属部材の下面上に配置され、前記サスペンションワイヤを接合する請求項１５に記載のカメラモジュール。
【請求項１７】
前記第１の導電層および前記金属部材は異なる材料を有する請求項１に記載のカメラモジュール。
【請求項１８】
前記第１の導電層の導電性は、前記金属部材の導電性を超える請求項１７に記載のカメラモジュール。
【請求項１９】
前記第１の導電層の硬度は、前記金属部材の硬度より低い請求項１７に記載のカメラモジュール。
【請求項２０】
前記第１の導電層の熱伝導性は、前記金属部材の熱伝導性を超える請求項１７に記載のカメラモジュール。
【発明の詳細な説明】
【技術分野】
【０００１】
本出願は、２０１７年４月８日に出願された米国特許仮出願番号第６２／３２００９６号、２０１７年３月１７日に出願された台湾特許出願番号第１０６１０８８８８号についての優先権を主張するものであり、これらの全ては引用によって本願に援用される。
【０００２】
本発明は、カメラモジュールに関し、特に、金属部材を含む底部を有するカメラモジュールに関するものである。
【背景技術】
【０００３】
いくつかの電子装置は、構成要素を所定の距離、移動するように駆動する駆動モジュールが備えられている。例えば、カメラのレンズ駆動装置は、通常、動力を発生させる駆動モジュールを含む。レンズ駆動装置の１つ以上の光学レンズユニットは、動力によって駆動され、光軸に垂直な方向に沿って移動し、画像安定化を容易にする。
【０００４】
従来の駆動モジュールは通常、外部回路を内部の電子部材と電気的に接続するフレキシブルプリント回路板を含む。しかしながら、フレキシブルプリント回路板の平坦度を保持するために、フレキシブルプリント回路板は、プラスチック製の底部の上に配置されなければならない。製造におけるプラスチックの使用の制限により、底部は一定の厚さを有さなければならず、駆動モジュールの体積を減少することが難しい。また、電子装置の組み立て、または移動のとき、フレキシブルプリント回路板は、湾曲される可能性があり、駆動モジュールの平坦度が低減される可能性がある。
【０００５】
一方、フレキシブル回路板と底部間のアライメント誤差が接合のときに生じる可能性があり、歩留まりが低下する可能性がある。また、接合のプロセスは通常、時間がかかるため、容量を向上させることが難しい。
【先行技術文献】
【特許文献】
【０００６】
【特許文献１】特開２０１１−６５１４０
【発明の概要】
【発明が解決しようとする課題】
【０００７】
金属部材を含む底部を有するカメラモジュールを提供する。
【課題を解決するための手段】
【０００８】
従来技術の欠点を解決するために、本発明の１つの課題は、レンズアセンブリが光軸に垂直または平行な方向に沿って移動するように駆動するマイクロレンズ駆動モジュールを提供することである。
【０００９】
本発明のいくつかの実施形態に基づいて、カメラモジュールは、底部、電磁駆動アセンブリ、およびレンズアセンブリを含む。底部は、金属部材、金属部材の上に形成された第１の絶縁層、および第１の絶縁層の上に形成された第１の導電層を含む。第１の導電層は、電磁駆動アセンブリに電気的に接続される。電磁駆動アセンブリは、レンズアセンブリが底部に対して移動するように駆動することができる。
【００１０】
上述の実施形態では、金属部材の厚さは、第１の絶縁層および第１の導電層の総厚を超える。
【００１１】
上述の実施形態では、金属部材の厚さは、０．１０ｍｍ〜０．３５ｍｍの厚さである。
【００１２】
上述の実施形態では、底部は、第２の絶縁層および第２の導電層を更に含む。第２の絶縁層は、金属部材の上に形成される。第１の絶縁層および第２の絶縁層は、金属部材の対向面上に形成される。第２の導電層は、第２の絶縁層の上に形成される。
【００１３】
上述の実施形態では、カメラモジュールは、イメージセンサを更に含み、第２の導電層は、イメージセンサに電気的に接続される。
【００１４】
上述の実施形態では、導電層は、成形回路部品を用いることによって絶縁層の上にパターン化される。また、絶縁層は、レーザにより活性化されることができる熱可塑性プラスチックを含む。
【００１５】
上述の実施形態では、第１の導電層は、コーティングによって第１の絶縁層の上に形成される。
【００１６】
上述の実施形態では、底部は、外部絶縁層および保護層を更に含む。外部絶縁層は、第１の導電層の上に配置され、保護層は、外部絶縁層の上に配置される。第１の絶縁層および外部絶縁層は、非導電性接着剤である。
【００１７】
上述の実施形態では、カメラモジュールは、電磁駆動アセンブリを囲み、金属を含むハウジングを更に含み、ハウジングおよび底部は、溶接により互いに接合される。
【００１８】
上述の実施形態では、金属部材および第１の導電層は、同じ熱膨張係数を有する。
【００１９】
上述の実施形態では、電磁駆動アセンブリは、レンズホルダ、上部弾性シート、および下部弾性シートを更に含む。レンズホルダは、通過部を有し、レンズアセンブリは、通過部に配置される。上部弾性シートおよび下部弾性シートは、レンズホルダの両側にそれぞれ配置される。駆動コイルは、上部弾性シートおよび下部弾性シートを介して第１の導電層に電気的に接続される。
【００２０】
上述の実施形態では、カメラモジュールは、上部弾性シートおよび底部に接合された複数のサスペンションワイヤを更に含む。
【００２１】
上述の実施形態では、金属部材は、長方形構造を有する。サスペンションワイヤは、金属部材１２１の４つの角を通ってそれぞれ延伸される。複数の接合部材は、金属部材の下面上に配置され、サスペンションワイヤを接合するように用いられる。
【図面の簡単な説明】
【００２２】
添付の図面とともに以下の本発明の様々な実施形態の詳細な説明を検討することで、本発明はより完全に理解できる。
【図１】本発明のいくつかの実施形態に係る、レンズ駆動モジュールの分解図である。
【図２】本発明のいくつかの実施形態に係る、底部の断面図である。
【図３】本発明のいくつかの実施形態に係る、その対角線に沿ったレンズ駆動モジュールの側面図である。
【図４】本発明のいくつかの実施形態に係る、底部の断面図である。
【図５】本発明のいくつかの実施形態に係る、底部の断面図である。
【図６】本発明のいくつかの実施形態に係る、カメラモジュールの断面図である。
【発明を実施するための形態】
【００２３】
本発明の目的、特徴並び発明の効果をより詳細に理解させるため、以下好適な実施例と添付の図面により、本発明の技術的事項をより詳細に説明する。実施形態の中の各構成要素の配置は、説明のためのものであり、本発明を限定するものではない。また、類似の番号および／または対応の番号の使用は、説明を明瞭にするためのものであり、異なる実施形態間の相関関係を示唆するものではない。また、各図式で示される部材の大きさおよび位置関係などを明確に説明するために、拡大され、縮尺通りに描かれない可能性がある。
【００２４】
本開示の図面の構成要素または装置は、当業者に公知のどんな形式または構成にも存在することができるということが留意されるべきである。また、「もう１つの構成要素を覆う（ｏｖｅｒｌｙｉｎｇ）構成要素」、「構成要素はもう１つの構成要素の上方（ａｂｏｖｅ）に配置される」、「構成要素はもう１つの構成要素上（ｏｎ）に配置される」、および「構成要素はもう１つの構成要素の上方（ｏｖｅｒ）に配置される」などの表現は、構成要素がもう１つの構成要素と直接接触することを指すだけでなく、構成要素がもう１つの構成要素とは直接接触せず、構成要素ともう１つの構成要素との間に配置された１つ以上の中間構成要素があることも指すことができる。
【００２５】
また、この明細書では、関連する表現が用いられる。例えば、「より低い」、「底部」、「より高い」、または「上部」は、もう１つに対する１つの構成要素の位置を説明するのに用いられる。仮に装置が上下反転された場合、「より低い」側の構成要素は、「より高い」側の構成要素となる、ということが了解されるべきである。
【００２６】
用語「約」および「大抵」は、一般的に、所定値の＋／−２０％を意味し、より一般的に、所定値の＋／−１０％を意味し、さらにより一般的に、所定値の＋／−５％を意味する。本開示の所定値は、近似値である。特定の説明がないとき、所定値は、「約」または「大抵」の意味を含む。
【００２７】
図１は、本発明のいくつかの実施形態に係る、レンズ駆動モジュール１の分解図である。レンズ駆動モジュール１は、電磁駆動アセンブリ２、レンズアセンブリ３、ハウジング１０、および底部１２を含む。電磁駆動アセンブリ２は、レンズアセンブリ３を支持して、レンズアセンブリ３が底部１２に対して移動するように駆動するように配置される。本発明のいくつかの実施形態に基づいて、電磁駆動アセンブリ２は、センサ１４、コイル板１６、および可動部１８を含む。電磁駆動アセンブリ２３０の部材は、必要に応じて追加または省略されることができ、本実施形態に限定されるものではない。
【００２８】
ハウジング１０は、金属でできており、上部シェル１０１および側部シェル１０２を含む。上部シェル１０１は、長方形構造を有し、側部シェル１０２は、上部シェル１０１の周縁部から底部１２に延伸される。側部シェル１０２は、溶接により底部１２に接合されることができる。内部空間は、ハウジング１０および底部１２によって定義され、電磁駆動アセンブリ２の他の部材を収容するように用いられる。ハウジング１０が溶接により底部１２に接合されるため、その接合強度が向上されることができる。
【００２９】
図２は、底部１２の断面図である。いくつかの実施形態では、底部１２は、金属部材１２１、第１の絶縁層１２３、および第１の導電層１２５を含む。金属部材１２１の形状は、上部シェル１０１の形状に対応する。開口１２０は、金属部材１２１の中心に形成される。複数の凹陥部１２２は、開口１２０の周縁部に形成され、各凹陥部１２２は、少なくとも１つの導電接点を有する。いくつかの実施形態では、光軸Ｏに平行である方向にある金属部材１２１の厚さは、０．１０ｍｍ〜０．３５ｍｍである。金属部材１２１は、アルミニウム、銅、またはその合金を含むことができる。
【００３０】
第１の絶縁層１２３は、金属部材１２１の上に形成される。いくつかの実施形態では、第１の絶縁層１２３は、ナノモールディングテクノロジー（ＮＭＴ）により金属部材１２１に接合される。第１の絶縁層１２３は、レーザにより活性化されることができる熱可塑性プラスチックを含むことができる。熱可塑性プラスチックは、ポリエチレンテレフタレート（ＰＥＴ）またはポリブチレンテレフタレート（ＰＢＴ）であることができる。
【００３１】
第１の導電層１２５は、第１の絶縁層１２３の上に形成される。この実施形態では、第１の導電層１２５は、成形回路部品（ＭＩＤ）を用いることによって、例えば、レーザ直接構造化（ｌａｓｅｒ ｄｉｒｅｃｔ ｓｔｒｕｃｔｕｒｉｎｇ；ＬＤＳ）、微細複合加高技術（ｍｉｃｒｏｓｃｏｐｉｃ ｉｎｔｅｇｒａｔｅｄ ｐｒｏｃｅｓｓｉｎｇ ｔｅｃｈｎｏｌｏｇｙ；  ＭＩＰＴＥＣ）、レーザ誘起金属化（ｌａｓｅｒ ｉｎｄｕｃｅｄ ｍｅｔａｌｌｉｚａｔｉｏｎ； ＬＩＭ）、 レーザ再構成印刷（ｌａｓｅｒ ｒｅｓｔｒｕｃｔｕｒｉｎｇ ｐｒｉｎｔ；  ＬＲＰ）、エアロゾルジェットプロセス（ａｅｒｏｓｏｌ ｊｅｔ ｐｒｏｃｅｓｓ）、または二回成形法（ｔｗｏ−ｓｈｏｔ ｍｏｌｄｉｎｇ ｍｅｔｈｏｄ）によって、第１の絶縁層１２３の上にパターン化される。いくつかの実施形態では、第１の導電層１２５は、コーティングによって第１の絶縁層１２３の上に形成されることができる。第１の導電層１２５は、底部１２の外面上に露光され、可動部１８に面する。いくつかの実施形態では、第１の導電層１２５の一部は、凹陥部１２２の内壁上に形成され、第１の導電層１２５の一部は、金属部材１２１の４つの角に形成される。
【００３２】
プラスチック板およびコイル、または導線がその上に配置またはその中に埋設されている従来の底部と比較すると、上述の底部の構造は、レンズ駆動モジュール１の高さを減少することができる。
【００３３】
留意すべきことは、光軸Ｏに平行した方向にある金属部材１２１の厚さは、光軸Ｏに平行した方向にある第１の導電層１２５および第１の絶縁層１２３の総厚を超えるということである。従って、底部１２は、十分な強度と十分な平坦度を有し、レンズ駆動モジュール１の組み立て時のレンズアセンブリ３の傾きを防止することができる。金属部材１２１の底面は、カバーされずに露光され、底部１２の放熱効率を向上することができる。この実施形態では、金属部材１２１および第１の導電層１２５は、同じ熱膨張係数を有することができ、底部１２が加熱されたとき、金属部材１２１と第１の導電層１２５との間に相対変位が生じない。
【００３４】
いくつかの実施形態では、第１の導電層１２５と金属部材１２１は、異なる材料を含み、金属部材１２１は、高硬度の材料を有し、第１の導電層１２５は、高い導電性且つ高い熱伝導性の材料を有する。従って、第１の導電層１２５の硬度は、金属部材１２１の硬度より低く、第１の導電層１２５の導電性および熱伝導性は、金属部材１２１の導電性および熱伝導性を超える。
【００３５】
図１に示すように、センサ１４は、磁性部材３０によって発生された磁場の変化を検出するように配置される。いくつかの実施形態では、センサ１４は、金属部材１２１の上に配置され、第１の導電層１２５に電気的に接続される。センサ１４は、ホールセンサであることができる。
【００３６】
コイル板１６は、底部１２の上に配置され、ベース１６１および複数の駆動コイル（例えば、２つの駆動コイル１６２および２つの駆動コイル１６４）を含む。開口１６０は、ベース１６１の中心に形成される。複数の凹陥部１６６は、開口１６０の周縁部に形成され、各凹陥部１６６は、少なくとも１つの導電接点を有する。凹陥部１６６の数および位置は、これらの凹陥部１２２に対応する。コイル板１６が底部１２と接合したとき、導電材料は各凹陥部１６６の上にコーティングされ、コイル板１６を底部１２の第１の導電層１２５に電気的に接続する。
【００３７】
駆動コイル１６２および１６４は、ベース１６１の上に配置され、上述の導電材料によって第１の導電層１２５に接合される。いくつかの実施形態では、２つの駆動コイル１６２は、Ｘ軸の方向にある底部１２の両側にそれぞれ隣接する。また、２つの駆動コイル１６４は、Ｙ軸の方向にある底部１２の両側にそれぞれ隣接する。
【００３８】
可動部１８は、レンズアセンブリ３が底部１２に対して移動できるように、レンズアセンブリ３を支持するように配置される。いくつかの実施形態では、可動部１８は、フレーム２０、上部弾性シート２２、下部弾性シート２４、レンズホルダ２６、駆動コイル２８、複数の磁性部材（例えば、４つの磁性部材３０）、および複数のサスペンションワイヤ（例えば４つのサスペンションワイヤ３２）を含む。
【００３９】
フレーム２０は、光軸Ｏの周囲で互いに接合された４つの側部シェル２０１を含む。各側部シェル２０１は、収容凹部２０２を有する。フレーム２０は、レンズホルダ２６を囲む。通過部２６１は、レンズホルダ２６を通って延伸され、レンズアセンブリ３は、通過部２６１に配置される。いくつかの実施形態では、上部弾性シート２２および下部弾性シート２４は、光軸Ｏに平行した方向にあるフレーム２０およびレンズホルダ２６の両側にそれぞれ配置される。従って、レンズホルダ２６は、垂直な方向（Ｚ軸の方向）に沿ってフレーム２０に対して移動することができる。
【００４０】
図１および図３に示すように、各サスペンションワイヤ３２は、可動部１８および底部１２に接続され、可動部１８は、光軸Ｏに垂直な方向に沿って底部１２に対して移動することができる。いくつかの実施形態では、サスペンションワイヤ３２の一端は、可動部１８の上部弾性シート２２に接合され、サスペンションワイヤ３２のもう一端は、底部１２に接続され、第１の導電層１２５（図１および図２）に電気的に接続される。いくつかの実施形態では、サスペンションワイヤ３２は、金属部材１２１の角の中の１つを通って延伸され、サスペンションワイヤ３２の一端は、接合部材３４によって底部１２の下面（即ち、第１の絶縁層１２３を形成する表面の両側にある金属部材１２１の下面）に固定される。
【００４１】
図１に示すように、駆動コイル２８は、レンズホルダ２６の外側面を囲む環状構造を有する。電流は、駆動コイル２８の中を流れることができ、電場はレンズホルダ２６が底部１２に対して移動するように駆動するように形成される。いくつかの実施形態では、駆動コイル２８は、上部弾性シート２２に電気的に接続され、外部電流は、サスペンションワイヤ３２および上部弾性シート２２によって、駆動コイル２８に流れることができる。
【００４２】
説明を明確にするために、以下の記述では、駆動コイル２８は、「焦点調整駆動コイル」と呼ばれ、駆動コイル１６２および１６４は、「光学手ブレ補正（ＯＩＳ）駆動コイル」と呼ばれる。
【００４３】
４つの磁性部材３０は、磁石であり、側部シェル２０１の収容凹部２０２にそれぞれ配置される。４つの磁性部材３０は、フレーム２０によって位置決めされ、磁性部材３０が駆動コイル２８とＯＩＳ駆動コイル１６２および１６４に対応することができる。磁性部材３０の磁極（例えば、Ｎ極）は、レンズホルダ２６に面し、磁性部材３０のもう１つの磁極（例えば、Ｓ極）は側部シェル１０２に面する。
【００４４】
電磁駆動アセンブリ２が作動したとき、制御モジュール（図示されていない）は、電流をＯＩＳ駆動コイル１６２および１６４に提供することができる。従って、可動部１８は、ＯＩＳ駆動コイル１６２および１６４と磁性部材３０間の磁気効果により、光軸Ｏに垂直な方向に沿って底部１２に対して移動することができる。もう一方では、ユーザーがレンズアセンブリ３の焦点位置を調整したいとき、制御モジュール（図示されていない）は、駆動電流を焦点調整駆動コイル２８に提供することができる。従って、レンズホルダ２６は、焦点調整駆動コイル２８と磁性部材３０間の磁気効果により、光軸Ｏに平行な方向に沿って底部１２に対して移動することができる。
【００４５】
電磁駆動アセンブリ２が作動したとき、センサ１４は、磁性部材３０によって発生された磁場の変化を検出し、底部１２に対して可動部１８および／またはレンズホルダ２６の位置情報を制御モジュール（図示されていない）に伝送する。制御モジュールは、上述の情報に基づいて計算することができ、閉ループ制御が形成されることができる。
【００４６】
留意すべきことは、底部１２の構造は、上述の実施形態に限定されるものではないということである。以下の例示的な実施形態は、本開示のさまざまな底部を提供する。
【００４７】
図４は、底部１２ａの断面図である。図１と図２、および図４の実施形態での同じ特徴は、同じ番号を用いており、説明を簡単にするために、再度述べられない。
【００４８】
本発明のいくつかの実施形態に係る、底部１２ａは、金属部材１２１、第１の絶縁層１２３ａ、外部絶縁層１２４ａ、第１の導電層１２５ａ、および保護層１２７ａを含む。第１の絶縁層１２３ａおよび外部絶縁層１２４ａは、非導電性接着剤であることができる。第１の導電層１２５ａは、第１の絶縁層１２３ａによって金属部材１２１に固定され、保護層１２７ａは外部絶縁層１２４ａによって第１の導電層１２５ａに固定される。保護層１２７ａは、１つ以上の開口を有することができ、第１の導電層１２５ａは、開口で露光されて電気的接続を形成することができる。
【００４９】
図５は、底部１２ｂの断面図である。図１と図２、および図５の実施形態での同じ特徴は、同じ番号を用いており、説明を簡単にするために、再度述べられない。
【００５０】
本発明のいくつかの実施形態に係る、底部１２ｂは、金属部材１２１、第１の絶縁層１２３ｂ、第２の絶縁層１２３ｂ’、２つの外部絶縁層１２４ｂ、第１の導電層１２５ｂ、第２の導電層１２６ｂ、および２つの保護層１２７ｂおよび１２８ｂを含む。第１の絶縁層１２３ｂおよび第２の絶縁層１２３ｂ’は、金属部材１２１の対向面上にそれぞれ形成される。第１の絶縁層１２３ｂ、第２の絶縁層１２３ｂ’、および外部絶縁層１２４ｂは、非導電性接着剤であることができる。第１の導電層１２５ｂは、第１の絶縁層１２３ｂによって金属部材１２１の上面に固定され、保護層１２７ｂは外部絶縁層１２４ｂによって第１の導電層１２５ｂに固定される。また、第２の導電層１２６ｂは、第２の絶縁層１２３ｂ’によって金属部材１２１の下面上に固定され、保護層１２８ｂは、外部絶縁層１２４ｂによって第２の導電層１２６ｂに固定される。保護層１２７ｂおよび１２８ｂは、１つ以上の開口を有することができ、第１と第２の導電層１２５ｂおよび１２６ｂは、開口で露光されて電気的接続を形成することができる。
【００５１】
同様に、第１の導電層１２５ｂおよび第２の導電層１２６ｂは、成形回路部品を用いることによって、またはコーティングを用いることによって、第１の絶縁層１２３ｂおよび第２の絶縁層１２３ｂ’の上にそれぞれ形成されることができ、第１の導電層１２５ｂ、第２の導電層１２６ｂ、および金属部材１２１は、同じ熱膨張係数を有することができる。
【００５２】
図６は、本発明のいくつかの実施形態に係る、カメラモジュール５の断面図である。本発明のいくつかの実施形態に係る、カメラモジュール５は、上述のレンズ駆動モジュール１、回路板６、およびイメージセンサ７の任意の１つを含む。
【００５３】
いくつかの実施形態では、イメージセンサ７は、回路板６に配置される。イメージセンサ７は、例えば、相補型金属酸化物半導体（ＣＭＯＳ）センサであることができる。レンズ駆動モジュール１は、回路板６の上に配置され、レンズアセンブリ３の光軸Ｏは、イメージセンサ７と位置合わせされ、底部１２は、回路板６に直接面する。いくつかの実施形態では、底部１２および回路板６は、接着剤８により互いに固定される。接着剤８は、底部１２および回路板６の金属部材に直接接触する。留意すべきことは、カメラモジュール５が図５に示された底部１２ｂを含むとき、第２の導電層１２６ｂは、回路板６上のイメージセンサ７に電気的に接続されることができる。
【００５４】
いくつかの実施形態では、カメラモジュール５が図５に示された底部１２ｂを含むとき、回路板６は、省略されることができ、イメージセンサ７は、底部１２ｂの下側に直接取り付けられて、カメラモジュール５の高さを減少することができる。
【００５５】
従来技術に比べ、上述の実施形態は、様々な利点を提供する。例えば、本発明のさまざまな実施形態では、カメラモジュールは、従来のプラスチックの底部と置き換えるように用いられた、金属部材を有する底部を含み、カメラモジュールの全体の高さが減少されることができ、底部の構造的な強度が向上されることができる。
【００５６】
また、本発明のいくつかの実施形態では、従来の駆動モジュールのフレキシブルプリント回路板は、カメラモジュールから除去されるため、導線は、底部に直接形成され、カメラモジュールの部材の数は、減少されることができる。従って、従来のフレキシブルプリント回路板にサスペンションワイヤを組み立てるのにかかる時間に比べ、本発明の底部にサスペンションワイヤを組み立てるのに必要な時間は、減少されることができ、歩留まりが向上されることができる。また、底部が金属部材を含むため、底部の平坦度は、向上されることができ、底部の熱膨張係数は、向上されることができる。
【００５７】
また、金属部材がレンズ駆動モジュールの最下面であるとき、金属部材と接着剤との接合強度は、プラスチックと接着剤との接合強度より高いため、レンズ駆動モジュールは、カメラモジュールの回路板に強固に接合されることができる。また、サスペンションワイヤは、接続部材によって底部に強固に接続されることができる。従って、カメラモジュールの信頼性は向上されることができる。
【００５８】
また、カメラモジュールに侵入またはカメラモジュールから放出した電磁波は、金属部材を有する底部によって減少されることができ、電磁干渉が低減されることができる。また、底部の導電層（金属部材、第１の導電層、第２の導電層）および非導電層（第１の絶縁層、第２の絶縁層）は、千鳥状に配置され、金属境界の数が増加される。従って、境界効果が向上されることができ、電磁干渉が再度低減されることができる。
【００５９】
異なる実施形態は、異なる利点を提供することができ、全ての利点が該当されるものではなく、特定の利点が全ての実施形態に必要というわけではないことは理解されるべきである。
【００６０】
本発明は、実施例の方法及び望ましい実施の形態によって記述されているが、本発明は開示された実施形態に限定されるものではない。逆に、当業者には自明の種々の変更及び同様の配置をカバーするものである。よって、添付の請求の範囲は、最も広義な解釈が与えられ、全てのこのような変更及び同様の配置を含むべきである。 
【符号の説明】
【００６１】
１  レンズ駆動モジュール
２  電磁駆動アセンブリ
３  レンズアセンブリ
５  カメラモジュール
６  回路板
７  イメージセンサ
８  接着剤
１０  ハウジング
１０１  上部シェル
１０２  側部シェル
１２、１２a、１２b  底部
１２０  開口
１２１  金属部材
１２２  凹陥部
１２３、１２３a、１２３b  第１の絶縁層
１２３ｂ’  第２の絶縁層
１２４ａ、１２４ｂ  外部絶縁層
１２５、１２５ａ、１２５ｂ  第１の導電層
１２６ａ  第２の導電層
１２７ａ、１２７ｂ  保護層
１２８ｂ  保護層
１４  センサ
１６  コイル板
１６０  開口
１６１  ベース
１６２  駆動コイル（ＯＩＳ駆動コイル）
１６４  駆動コイル（ＯＩＳ駆動コイル）
１６６  凹陥部
１８  可動部
２０  フレーム
２０１  側部シェル
２２  上部弾性シート
２４  下部弾性シート
２６  レンズホルダ
２６１  通過部                                       
２８  駆動コイル
３０  磁性部材
３２  サスペンションワイヤ
３４  接合部材
Ｏ  光軸
【図１】
2017215576.tif 000003
【図２】
2017215576.tif 000004
【図３】
2017215576.tif 000005
【図４】
2017215576.tif 000006
【図５】
2017215576.tif 000007
【図６】
2017215576.tif 000008
【外国語明細書】
2017215576000001.pdf
2017215576000002.pdf
2017215576000003.pdf
2017215576000004.pdf